(57)【要約】【課題】自動的に折り畳み或いは展開が可能で、操作の利便性を向上させ、省力化を図ることができる折り畳み式ベッドフレームを提供する。【解決手段】２本の長支持棒１を備え、各１本の長支持棒１は２本の連接棒１１により連接部品３を通して連接され形成し、２本の長支持棒１の下方両端部及び中央部においては、各１組の「X」型交差サポートフレーム２がそれぞれサポートし、中央部の交差サポートフレーム２は連接部品３上に可動接続し、長支持棒１と両端部の交差サポートフレーム２との間には支持棒４を連接し、支持棒４は折り畳み式ベッドの折り畳みと展開の過程中において、両端部の交差サポートフレーム２を引く或いは押す。【選択図】図２
0003159305.tif 000002
【実用新案登録請求の範囲】
【請求項１】
２本の長支持棒を備え、 
前記各１本の長支持棒は２本の連接棒により連接部品を通して連接され形成し、 
前記２本の長支持棒の下方両端部及び中央部においては、各１組の「Ｘ」型交差サポートフレームがそれぞれサポートし、中央部の交差サポートフレームは前記連接部品上に可動接続し、前記長支持棒と前記両端部の交差サポートフレームとの間には支持棒を連接することを特徴とする、折り畳み式ベッドフレーム。
【考案の詳細な説明】
【技術分野】
【０００１】
本考案は家具用品に係り、特に折り畳み式ベッドフレームに関する。 
【背景技術】
【０００２】
現在流通している折り畳み式ベッドには各種あるが、それらは皆、折り畳み後の体積が小さく、収納及び携帯に便利であるため、家庭内で使用される他、レジャーや屋外活等でも盛んに使用されている。
【０００３】
公知の折り畳み式ベッド構造には、１９９９７月２１日に公告された、中華人民共和国特許第ＣＮ２３２９２４７Ｙ号公報「折り畳み式ベッド」がある。該折り畳み式ベッドは２本の長支持棒、及び該２本の長支持棒を支える若干の「X」型交差サポートフレームを備える。該２本の長支持棒上にはベッド布を固定する。 
【０００４】
該折り畳み式ベッドの折り畳み時には、先ず両側の長支持棒を上方へと持ち上げ、内側へと合わせる。 次に、該両側の交差サポートフレームを内側へと９０度回転させ、或いは外側へと２７０度反転させ、該２本の長支持棒と合わせ、このようにして折り畳み過程を完成させる。
【０００５】
該長支持棒が長すぎるなら、２本の連接棒により接し形成することが可能である。この場合には、折り畳み時に、さらに該長支持棒の２本の接棒を上方へと或いは下方へと半分に折る。次に、縛り、折り畳み後の体積をさらに小さくし、さらなる携帯の便を図ることができる。 
【０００６】
しかし、上記した折り畳み式ベッドでは、折り畳み時に、両側の長支持棒を持ち上げ、内側へと合わせた後、さらに人手により該両側の交差サポートフレームを回転させ、該長支持棒に合わせ、続いて該長支持棒を半分に折る、という数段階のステップを踏む必要がある。 一方、展開時にも、上記したステップを繰り返さなければならないため、非常に面倒である。 
本考案は、従来の折り畳み式ベッドフレームの上記した欠点に鑑みてなされたものである。 
【特許文献１】中華人民共和国特許第ＣＮ２３２９２４７Ｙ号公報
【考案の開示】
【考案が解決しようとする課題】
【０００７】
本考案が解決しようとする主要な課題は、折り畳み及び展開が容易で、便利な折り畳み式ベッドフレームを提供することである。 
【課題を解決するための手段】
【０００８】
上記課題を解決するため、本考案は下記の折り畳み式ベッドフレームを提供する。即ち、折り畳み式ベッドフレームは、２本の長支持棒を備え、 該各１本の長支持棒は２本の連接棒により連接部品を通して接され形成する。該２本の長支持棒の下方両端部及び中央部においては、各１組の「Ｘ」型交差サポートフレームがそれぞれサポートし、該中央部の交差サポートフレームは該連接部品上に可動接続し、該長支持棒と該両端部の交差サポートフレームとの間には支持棒を連接する。該２本の長支持棒と該両端部の交差サポートフレームとの間にそれぞれ設置する支持棒により、該支持棒は折り畳み式ベッドの折り畳みと展開の過程中において、該両端部の交差サポートフレームを引く或いは押すことができる。 これにより該両端部の交差サポートフレームは該長支持棒を内側へと合わせる、或いは展開する過程において、自動的に折り畳み或いは展開される。 
【考案の効果】
【０００９】
本考案は一段階のステップのみで折り畳み、及び展開操作を完成することができ、このようにして操作の利便性を向上させ、省力化を図ることができる。
【考案を実施するための最良の形態】
【００１０】
以下に図面を参照しながら本考案を実施するための最良の形態について詳細に説明する。 
【００１１】
図１から３に示すように、本考案の一実施形態による折り畳み式ベッドフレームは２本の長支持棒１を備え、２本の長支持棒１の下方においては、若干の「Ｘ」型交差サポートフレーム２がサポートする。 
【００１２】
図１に示すように、長支持棒１は２本の連接棒１１により連接され形成する。２本の連接棒１１の内端部は同一の連接部品３上に可動接続する。このようにして両者は一体に連接する。 
【００１３】
長支持棒１の両端部及び中央部においては、各１組の交差サポートフレーム２がサポートする。中央部の交差サポートフレーム２は連接部品３上に可動接続する。 
【００１４】
長支持棒１と両端部の交差サポートフレーム２との間には支持棒４を連接する。支持棒４は折り畳み式ベッドの展開時に、両端部の交差サポートフレーム２のサポートを堅固にすることができる。
また支持棒４は両端部の交差サポートフレーム２の折り畳み或いは展開の作用を補助することができる。 
【００１５】
図２に示すように、本考案を折り畳もうとする時には、長支持棒１の中央部を上方へと持ち上げ、内側へと合わせるだけでよい。この時、両側の連接棒１１は自動的に下方へと折れ曲がる。
これと同時に、支持棒４は内側へと合わさる長支持棒１に連動され、内側へと合わさる。その内側へ向かう過程において、両端部交差サポートフレーム２の底端を引き、これにより両端部の交差サポートフレーム２は自動的に内側へと回転する。
【００１６】
両側の連接棒１１が下方へと折れ、平行に近くなると、両側の交差サポートフレーム２は長支持棒に完全に寄り添い、しかも、中央部の交差サポートフレーム２の両側を挟む（図３参照）。このようにして折り畳み過程を完成する。
【００１７】
折り畳み式ベッドを展開しようとする時には、両側の長支持棒１を外側へと開き、同時に、両側の連接棒１１を上方へと折り曲げる。これにより、折り畳み式ベッドフレーム全体は、折り畳み時とは反対の動作を行う。
【００１８】
長支持棒１の２本の連接棒１１が展開され水平になる時、両端部の交差サポートフレーム２は支持棒４に押され、自動的に起き上がりサポート作用を生じる。
【００１９】
このようにして支持棒４は折り畳み式ベッドの折り畳みと展開の過程において、両端部の交差サポートフレーム２を引く、或いは押すことで、自動的に折り畳み或いは展開を行うことができる。
【００２０】
すなわち、折り畳み式ベッドフレームは展開及び折り畳みの過程共に、一段階のみで完成されるため、操作の利便性を向上させ、省力化を図ることができる。
【図面の簡単な説明】
【００２１】
【図１】本考案に係る折り畳み式ベッドフレームの立体状態を示す説明図
【図２】本考案に係る折り畳み式ベッドフレームの折り畳み動作を示す説明図
【図３】本考案に係る折り畳み式ベッドフレームの折り畳み状態を示す説明図
【符号の説明】
【００２２】
１    長支持棒
１１  連接棒
２    交差サポートフレーム
３    連接部品
４    支持棒
【図１】
0003159305.tif 000003
【図２】
0003159305.tif 000004
【図３】
0003159305.tif 000005